(57)【要約】      （修正有）【課題】地上据え置きの平底円筒タンクが地震や強風によって転倒や横滑りをしたり、津波や洪水によって浮き上がりや流されたりすることがないように配慮した着脱簡便で有効な滑動防止装置を提供する。【解決手段】滑動防止装置６は、タンクの側板２下部外周面に均等な隔接間隔を設けて円周方向に複数個固定した取付部材７と、該取付部材７と対応して固定した複数個の固定部材９とを設けてなり、前記取付部材７と固定部材９とを連結部材８でピン止めヒンジ回動の着脱自在に係合したことを特徴とし、これにより滑動防止装置６は、地震力および風圧力による転倒や滑動、つまり横滑りに対する抵抗力を有し、貯液時の液面揺動に対する抵抗力も有する。【選択図】図２
0003181060.tif 000002
【実用新案登録請求の範囲】
【請求項１】
地上据え置きの平底円筒タンクが、地震や津波、強風や洪水によって転倒や横滑りをしたり、浮き上がり流されたりすることがないように、タンクの側板下部外周面に均等な隔接間隔を設けて円周方向に複数個固定した取付部材と、該取付部材と対応して固定した複数個の固定部材とを設けてなり、前記取付部材と固定部材とを連結部材でピン止めヒンジ回動の着脱自在に係合したことを特徴とする平底円筒タンクの滑動防止装置。
【請求項２】
上記ピン止めヒンジ回動の着脱自在に係合する連結部材は、タンク中心方向に移動可能な長穴とタンク円周方向に移動可能な弾力性を有する介装材とで調整可能な構造に形成したことを特徴とする請求項１記載の平底円筒タンクの滑動防止装置。
【考案の詳細な説明】
【技術分野】
【０００１】
この考案は、地上据え置きの平底円筒タンクが地震や強風、津波や洪水によって滑動や転倒などの被害を受けることがないように、側板外周面から基版のアンカーに至る間に設けた簡便で有効な滑動防止装置に関するものである。
【背景技術】
【０００２】
図６に示すように、従来一般的な地上据え置きの容量５，０００ｋｌ程度以下の中小規模の平底円筒タンク１は、側板２と底板３と屋根４とからなり、地面１１の基版５の上に据え置かれている。
このタンク１は、地震や強風１２ａによって横滑りや転倒をしたり、津波や洪水１２ｂによって浮き上って流されたりするなどの被害を受けることがある。
【０００３】
特許文献１の特開昭５５−１２６０６６号公報「耐震タンク構築工法」の発明は、地表面に盛砂基礎を有し、その上に設置されたタンクの外周下方突出部分より摩擦抵抗を利用できるアンカーロッドを、地震時のタンク底板隅角部持上げ力に対向し得る抵抗が得られる深さまで地中に貫入し、アンカーロッドの上端と前記タンク突出部分との間には前記持上げ力の少なくとも一部を吸収するコイルスプリング状のダンパを介在させる構成が開示されている。
【０００４】
特許文献２の実開昭６３−１４７４９８号公報「平底円筒貯槽のスベリ止め装置」の考案は、地震時に貯槽の軸心に平行する上下方向には動きを拘束しないように貯槽の側板の下縁近傍に固定したブラケットと基礎に設けたアンカーとの間に係合したスベリ止め装置の構成が開示されている。
【０００５】
特許文献３の特開平１１−４９２８３号公報「貯槽の滑動防止装置」の発明には、地震や強風時に、貯槽の垂直方向の動きを拘束することなく水平方向の動きを拘束するように、貯槽の底板を貯槽基礎の埋設アンカーに直接又は間接連結した滑動防止装置の構成が開示されている。
【先行技術文献】
【特許文献】
【０００６】
【特許文献１】特開昭５５−１２６０６６号公報
【特許文献２】実開昭６３−１４７４９８号公報
【特許文献３】特開平１１−４９２８３号公報
【考案の概要】
【考案が解決しようとする課題】
【０００７】
図６に示す従来一般的な地上据え置きの中小規模の平底円筒タンク１は、地震や強風１２ａによって横滑りや転倒をしたり、津波や洪水１２ｂによって基版５からタンク１が浮き上がり流されたりするなどの被害を受ける心配があった。  特に空液時の強風によって転倒や滑動が生じることや、貯液量が少ない場合に洪水や津波によって浮き上り流されるなどの被害を受け易いことが報告されている。
【０００８】
特許文献１「耐震タンク構築工法」の発明は、地震時のタンク底板隅角部持上げ力に対向し得るアンカーロッドとコイルスプリング状のダンパを介在させた装置ではあるが、着脱を配慮した簡便な構造ではなくアンカーロッドの施工も大掛かりで手間を要するものである。
【０００９】
特許文献２「平底円筒貯槽のスベリ止め装置」の考案は、地震や強風による貯槽の横スベリを防止する装置であるが、スベリ止め装置を貯槽に取り付け固定する部分の側板に過大な応力が発生し、かえって貯槽本体を損傷することも考えられる。さらに、浸水深さが深く、貯槽浮上量が大きくなった場合、スベリ止め装置から外れる可能性も考えられ、津波や洪水による浮き上がりや流され防止には十分ではない。
【００１０】
特許文献３「貯槽の滑動防止装置」の発明に開示された、貯槽の底板を貯槽基礎の埋設アンカーに直接又は間接連結した滑動防止装置は、強風時の滑動防止には一定の効果があるが、大地震によるタンクの揺動やロッキングの防止対策、津波によるタンクの浮き上がりや流され防止対策としては十分とはいえない。
【００１１】
この考案は上述のような従来技術が有する問題点に鑑みてなされたもので、その目的とするところは、地上据え置きの平底円筒タンクが地震や強風によって転倒や横滑りをしたり、津波や洪水によって浮き上がりや流されたりすることがないように配慮した着脱簡便で有効な滑動防止装置を提供することにある。
【課題を解決するための手段】
【００１２】
請求項１の考案に係る滑動防止装置は、地上据え置きの平底円筒タンクが、地震や津波、強風や洪水によって転倒や横滑りをしたり、浮き上がり流されたりすることがないように、タンク１の側板２下部外周面に均等な間隔を設けて円周方向に複数個固定した取付部材７と、該取付部材７と対応して固定した複数個の固定部材９とを設けてなり、前記取付部材７と固定部材９とを連結部材８でピン止めヒンジ回動の着脱自在に係合したことを特徴とする。
【００１３】
請求項２の考案に係る滑動防止装置は、上記請求項１記載の平底円筒タンクの滑動防止装置のピン止めヒンジ回動の着脱自在に係合する連結部材８Ｂは、タンク中心方向に移動可能な長穴８ｂ２とタンク円周方向に移動可能な弾力性を有する介装材８ｂ３とで調整可能な構造に形成したことを特徴とする。
【考案の効果】
【００１４】
請求項１の考案に係る滑動防止装置は、地上据え置きの平底円筒タンクが、地震や津波、強風や洪水によって転倒や横滑りをしたり、浮き上がり流されたりすることがないように、タンクの側板下部外周面に均等な隔接間隔を設けて円周方向に複数個固定した取付部材７と、該取付部材７と対応して固定した複数個の固定部材９とを設けてなり、前記取付部材７と固定部材９とを連結部材８でピン止めヒンジ回動の着脱自在に係合したので、
地震力および風圧力による転倒や滑動、つまり横滑りに対する抵抗力を有し、貯液時の液面揺動に対する抵抗力も有するため、地震対策や強風対策、津波・洪水対策として有効となる。また構造が簡単で簡便化が図られ、設置の施工がし易い。
【００１５】
請求項２の考案に係る滑動防止装置は、上記請求項１記載の平底円筒タンクの滑動防止装置のピン止めヒンジ回動の着脱自在に係合する連結部材８Ｂは、タンク中心方向に移動可能な長穴８ｂ２とタンク円周方向に移動可能な弾力性を有する介装材８ｂ３とで調整可能な構造に形成したので、
取付位置が周方向へずれる場合に対応することができ、また滑動防止装置を着脱する際に位置合せや取付けが容易にできる。
【図面の簡単な説明】
【００１６】
【図１】本考案に係るタンクの滑動防止装置を設置した実施形態例を示す全体側面説明図である。
【図２】図１のＡ部を拡大して示す説明図である。
【図３】図２の斜視説明図である。
【図４】連結具の事例１、２を示す斜視説明図である。
【図５】連結具の事例３を示す斜視説明図である。
【図６】従来例のタンク被害状況を示す全体側面説明図である。
【考案を実施するための形態】
【００１７】
本考案に係るタンクの滑動防止装置の実施形態例について図１から図５を参照しながら説明する。本考案は下記の実施形態にのみ限定されるものではない。本考案の要旨を逸脱しない範囲で下記の実施形態に変更（例えば構成要素の省略または付加、構成要素の形状の変更等）を加えることが出来るのは勿論である。なお、図は概略を示すもので、詳細構造の図示は省略した。
【００１８】
図１は本考案に係るタンクの滑動防止装置を設置した実施形態例を示す全体側面説明図である。
地上据え置きのタンク１は、側板２と底板３と屋根４とからなる容量５，０００ｋｌ程度以下の中小規模の平底円筒構造であり、地面１１より高く形成した基版５の上に設置されている。
このタンク１が、地震時の揺動やロッキングによるアップリフト力によって横滑りしたり、強風によって転倒や滑動をしたり、津波や洪水によって浮き上がって流されたりすることがないように、側板２の所定高さ位置で外周面の円周方向に、均等な隔接間隔をおいて複数個（例えば８箇所）固定した取付部材７と、該取付部材７と対応して基版５のアンカー１０に複数個固定した固定部材９とを設け、この取付部材７と固定部材９とを連結部材８でピン止めヒンジ回動の着脱自在に係合して滑動防止装置６を形成する。
【００１９】
図１に示すように、取付部材７と固定部材９とを連結部材８でピン止めヒンジ回動の着脱自在に係合してなる滑動防止装置６は、地震力および風圧力による転倒や滑動、つまり横滑りに対する抵抗力を有し、貯液時の液面揺動に対する抵抗力も有する。
よって、地震対策や強風対策、津波・洪水対策として有効となる。
また構造が簡単で簡便化が図られ、組み立てや設置の施工がし易い。
殊に、基礎と底板の摩擦は空液時に最も小さくなるため、貯液量が少ない時の強風による転倒や滑動への対策、および水平方向の地震動による滑動対策に有効となる。
【００２０】
図２は、図１のＡ部を拡大して示す側面説明図、図３は図２の斜視説明図である。
図２及び図３に示すように、滑動防止装置６は、取付部材７と固定部材９を連結部材８でピン止めとして、矢印に示すようにヒンジ回動の着脱自在に係合する取付構造とする。
取付部材７は、当て板７ａと、ブラケット７ｂと、取付穴７ｃよりなる。
連結部材８は、ピン穴８ａ、および取付穴８ｂを有する。
固定部材９は、ベース板９ａと、ブラケット９ｂと、リブ板９ｃと、ピン穴９ｄよりなる。
この固定部材９は、アンカー材１０で基版５に確りと固定する。
また、連結部材８は、一方のピン穴８ａをピン止めで、上記固定部材９の支軸９ｄへ回動自在に取付け、他方の取付穴８ｂをボルト・ナットなどの締結部材（図示省略）で、上記取付部材７の取付穴７ｃへ着脱自在構造に取付ける。
【００２１】
上記アンカー材１０、取付部材７と固定部材９を連結部材８でピン止めして形成した滑動防止装置６は、地震力および風圧力による転倒力や滑動力、つまり横滑りのせん断荷重に対して、十分な抵抗力、つまり許容せん断応力を有する構造部材とする。
【００２２】
図４（Ａ）、（Ｂ）は、連結具の事例１、２を示す斜視説明図である。
滑動防止装置６の連結部材８は、ピン止めヒンジ回動の着脱自在に係合する部材の事例である。
事例１の標準連結部材８Ａは、同じ径のピン穴８ａ１と取付穴８ａ２とを有する。
事例２の調整連結部材８Ｂは、ピン穴８ｂ１とタンク中心方向に移動可能な長穴の取付穴８ｂ２を設け、これらのピン穴８ｂ１と取付穴８ｂ２にはタンク円周方向に移動可能な弾力性を有する介装材８ｂ３を装着して調整可能な構造に形成する。８ｄ１と８ｄ２は、ピン止めや取付けに使用する固定部材の事例を示すボルトとナットである。
【００２３】
上記事例２に示す調整連結部材８Ｂは、タンク中心方向に移動可能な長穴の取付穴８ｂ２と、タンク円周方向に移動可能な弾力性を有する介装材８ｂ３とで調整可能な構造に形成したので、貯液量の変化や気候変動などで取付位置が円周方向へ幾分ずれる場合に対応することができる。
また、タンクの開放点検や部材のメンテナンス時などで滑動防止装置を着脱する際に、位置合せや取付けの作業が容易となる。
【００２４】
図５は、連結具の事例３を示す斜視説明図である。
この事例３の平行連結部材８Ｃは、平行な二枚板にピン穴８ｃ１と取付穴８ｃ２を設け、結合材８ｃ３で一体化して平行リング止め構造の部材に形成する。
【００２５】
この平行連結部材８Ｃは、引張荷重が取付部の軸心へ平行な二枚板を介して均等にかかるため、曲折変形や破損の生じ難い構造部材となる。
【産業上の利用可能性】
【００２６】
上記滑動防止装置は、地上据え置きの平底円筒タンクに採用するばかりでなく、地震時のタンクの耐震性能の向上、殊に地震による津波や台風による強風や水害への防護対策などが望まれる貯蔵庫や構築物などにも適用することができる。
【符号の説明】
【００２７】
１タンク      
２側板      
３底板      
４屋根      
５基版      
６滑動防止装置      
７取付部材      
７ａ当て板      
７ｂブラケット      
７ｃ取付穴      
８連結部材      
８ａピン穴      
８ｂ取付穴      
８Ａ標準連結部材      
８Ｂ調整連結部材      
８Ｃ平行連結部材      
９固定部材      
９ａベース板      
９ｂブラケット      
９ｃリブ板      
９ｄ支軸      
１０アンカー材      
１１地面      
１２ａ地震や強風      
１２ｂ津波や洪水      
【図１】
0003181060.tif 000003
【図２】
0003181060.tif 000004
【図３】
0003181060.tif 000005
【図４】
0003181060.tif 000006
【図５】
0003181060.tif 000007
【図６】
0003181060.tif 000008